(57)【要約】      （修正有）【課題】携帯端末の指示に基づいて録画装置が録画する録画再生システムであって、携帯端末と録画装置とが各々異なるエリアに移動した場合であっても、簡単かつ確実にユーザ所望の番組を録画することができる録画再生システムを提供する。【解決手段】携帯端末は、予約対象のコンテンツの情報を録画装置に送信する録画対象コンテンツ送信手段（Ｓ１０９）を備え、録画装置は、マルチメディアコンテンツのリストを取得するリスト取得手段（Ｓ１１３）と、携帯端末から予約対象のコンテンツの情報を取得する録画対象コンテンツ取得手段と、取得されたリストに、取得されたコンテンツが含まれているか否かを判断する判断手段（Ｓ１１７）と、コンテンツが含まれていると判断された場合、取得された予約対象のコンテンツを録画する録画手段とを備えた。【選択図】図６
2011139117.tif 000002
【特許請求の範囲】
【請求項１】
マルチメディアコンテンツを録画する録画装置、及び前記録画装置で録画されたマルチメディアコンテンツを取得して再生する携帯端末を備えた録画再生システムであって、
前記携帯端末は、
予約対象のコンテンツの情報を前記録画装置に送信する録画対象コンテンツ送信手段を備え、
前記録画装置は、
前記マルチメディアコンテンツのリストを取得するリスト取得手段と、
前記携帯端末から予約対象のコンテンツの情報を取得する録画対象コンテンツ取得手段と、
前記リスト取得手段により取得されたリストに、前記録画対象コンテンツ取得手段により取得されたコンテンツが含まれているか否かを判断する判断手段と、
前記判断手段によりコンテンツが含まれていると判断された場合、前記コンテンツ取得手段により取得された予約対象のコンテンツを録画する録画手段とを備えたことを特徴とする録画再生システム。
【請求項２】
前記録画装置は、前記リスト取得手段により取得されたリストを前記携帯端末に送信するリスト送信手段を備え、
前記携帯端末の録画対象コンテンツ送信手段は、前記録画装置から前記マルチメディアコンテンツのリストを受信した場合、このリストから録画対象のコンテンツを選択して送信することを特徴とする請求項１記載の録画再生システム。
【請求項３】
前記録画装置の判断手段は、コンテンツが含まれていると判断した場合、前記予約対象コンテンツ取得手段により取得されたコンテンツの開始時刻と、前記リスト取得手段により取得されたリストに含まれているコンテンツの開始時刻とが異なっているか否かを判断し、
前記録画装置の録画手段は、前記判断手段により開始時刻が異なっているものと判断された場合、前記リスト取得手段により取得されたリストの情報に基づいて、予約対象のコンテンツを録画することを特徴とする請求項１記載の録画再生システム。
【請求項４】
前記録画装置の判断手段は、録画手段が予約対象のコンテンツを録画する直前に、前記リスト取得手段により取得されたリストにこの予約対象のコンテンツが含まれているか否かを判断し、
前記録画装置の録画手段は、前記判断手段によりコンテンツが含まれていると判断された場合、録画対象のコンテンツの録画を開始することを特徴とする請求項１記載の録画再生システム。
【請求項５】
前記携帯端末の送信手段は、コンテンツの優先度を予約対象のコンテンツの情報と併せて前記録画装置に送信し、
前記録画装置は、前記携帯端末から受信したコンテンツの優先度に基づいて、優先度の高い順にコンテンツを再生する再生手段を備えたことを特徴とする請求項１記載の録画再生システム。
【請求項６】
前記携帯端末の送信手段は、コンテンツの優先度を予約対象のコンテンツの情報と併せて前記録画装置に送信し、
前記録画装置は、前記携帯端末から受信したコンテンツの優先度に基づいて、優先度の高い順にコンテンツを前記携帯端末に送信するコンテンツ送信手段を備え、
さらに携帯端末は、前記録画装置から受信したコンテンツを再生する再生手段を備えたことを特徴とする請求項１記載の録画再生システム。
【請求項７】
前記録画装置は、前記録画手段により録画されたコンテンツを再生する再生手段と、前記録画手段により録画されたコンテンツを前記携帯端末に送信するコンテンツ送信手段とを備えるとともに、前記携帯端末は、前記録画装置から受信したコンテンツを再生する再生手段を備え、
前記録画装置のコンテンツ送信手段は、前記録画装置の再生手段による再生が中断された場合、この中断された位置を示す情報をコンテンツに併せて送信し、
前記携帯端末の再生手段は、前記録画装置の再生手段による再生が中断された場合、この中断された位置から再生を開始することを特徴とする請求項１記載の録画再生システム。
【請求項８】
前記録画装置は、前記録画手段により録画されたコンテンツを再生する再生手段と、前記録画手段により録画されたコンテンツを前記携帯端末に送信するコンテンツ送信手段とを備えるとともに、前記携帯端末は、前記録画装置から受信したコンテンツを再生する再生手段を備え、
前記携帯端末は、前記携帯端末の再生手段による再生が中断された場合、この中断された位置を示す情報を前記録画装置に送信する中断位置送信手段を備え、
前記録画装置の再生手段は、前記携帯端末の再生手段による再生が中断された場合、この中断された位置から再生を開始することを特徴とする請求項１記載の録画再生システム。
【請求項９】
前記録画対象コンテンツ送信手段は、他の携帯端末から受信した予約対象のコンテンツの情報を前記録画装置に転送することを特徴とする請求項１記載の録画再生システム。
【請求項１０】
前記携帯端末の録画対象コンテンツ送信手段は、前記録画装置から前記マルチメディアコンテンツのリストを受信した場合、このリストを他の携帯端末に送信するとともに、この他の携帯端末から録画対象のコンテンツを受信して前記録画装置に転送することを特徴とする請求項２記載の録画再生システム。
【請求項１１】
前記録画装置は、前記携帯端末に電力を供給する電力供給手段を備えたことを特徴とする請求項１記載の録画再生システム。
【請求項１２】
マルチメディアコンテンツのリストを取得するリスト取得手段と、
携帯端末から予約対象のコンテンツの情報を取得する録画対象コンテンツ取得手段と、
前記リスト取得手段により取得されたリストに、前記録画対象コンテンツ取得手段により取得されたコンテンツが含まれているか否かを判断する判断手段と、
前記判断手段によりコンテンツが含まれていると判断された場合、前記コンテンツ取得手段により取得された予約対象のコンテンツを録画する録画手段とを備えたことを特徴とする録画装置。
【請求項１３】
録画装置からマルチメディアコンテンツのリストを受信するリスト受信手段と、
前記リスト受信手段により受信されたリストから、予約対象のコンテンツの情報を選択して前記録画装置に送信する録画対象コンテンツ送信手段とを備えたことを特徴とする携帯端末。
【請求項１４】
マルチメディアコンテンツを録画する録画装置、及び前記録画装置で録画されたマルチメディアコンテンツを取得して再生する携帯端末を備えた録画再生システムの録画再生方法であって、
前記携帯端末は、
予約対象のコンテンツの情報を前記録画装置に送信する録画対象コンテンツ送信ステップを行い、
前記録画装置は、
前記マルチメディアコンテンツのリストを取得するリスト取得ステップと、
前記携帯端末から予約対象のコンテンツの情報を取得する録画対象コンテンツ取得ステップと、
前記リスト取得ステップにて取得したリストに、前記録画対象コンテンツ取得ステップにて取得したコンテンツが含まれているか否かを判断する判断ステップと、
前記判断ステップにてコンテンツが含まれていると判断した場合、前記コンテンツ取得ステップにて取得した予約対象のコンテンツを録画する録画ステップとを行うことを特徴とする録画再生システムの録画再生方法。
【請求項１５】
マルチメディアコンテンツのリストを取得するリスト取得ステップと、
携帯端末から予約対象のコンテンツの情報を取得する録画対象コンテンツ取得ステップと、
前記リスト取得ステップにて取得したリストに、前記録画対象コンテンツ取得ステップにて取得したコンテンツが含まれているか否かを判断する判断ステップと、
前記判断ステップにてコンテンツが含まれていると判断した場合、前記コンテンツ取得ステップにて取得した予約対象のコンテンツを録画する録画ステップとを行うことを特徴とする録画装置の録画再生方法。
【請求項１６】
録画装置からマルチメディアコンテンツのリストを受信するリスト受信ステップと、
前記リスト受信ステップにて受信したリストから、予約対象のコンテンツの情報を選択して前記録画装置に送信する録画対象コンテンツ送信ステップとを行うことを特徴とする携帯端末の録画再生方法。
【発明の詳細な説明】
【技術分野】
【０００１】
本発明は、携帯端末の指示に基づいて録画装置がテレビ番組を録画する録画再生システムに係り、具体的には、携帯端末と録画装置との間で番組情報に同一性を保つことにより、簡単かつ確実にユーザ所望の番組を録画することができる録画再生システム、録画装置、携帯端末、及びこれらの録画再生システム、録画装置、携帯端末の録画再生方法に関する。
【背景技術】
【０００２】
近年、様々な通信機能を備えた携帯端末がユーザに常時携帯されるようになったのに伴い、例えば家庭に設置されている録画装置に対して、携帯端末から番組情報を含んだ録画指示を送信するとともに、録画指示を受信した録画装置が受信した番組情報に基づいて録画処理を行うようなシステムが開発されている。
【０００３】
例えば特許文献１によると、地域による放送チャンネルの違いを意識することなく自宅のビデオに容易に録画指示できる無線携帯端末が提案されている。この無線携帯端末は、テレビ放送受信中にスイッチにより自宅のビデオレコーダへの録画操作が行われた際に、位置情報とチャンネルテーブルから受信中のテレビ局を割り出し、チャンネルテーブルを参照して受信中のチャンネルに相当する自宅のテレビ局を自宅地域のチャンネルテーブルから割り出し、自宅のビデオレコーダのＩＰアドレスと割り出した自宅地域のチャンネル情報及び録画開始指示をビデオレコーダに送信するものである。
【先行技術文献】
【特許文献】
【０００４】
【特許文献１】特開２００５−１９７８８４号公報
【発明の概要】
【発明が解決しようとする課題】
【０００５】
携帯端末から録画装置に対して録画対象の番組の番組情報を送信して、録画装置がその取得した番組情報に基づいて録画処理を行う方法では、通常、携帯端末がユーザに携帯されて移動するため、携帯端末と録画装置との間でそれぞれ使用場所が異なっている可能性が高く、携帯端末が番組表を保有している場合には、携帯端末と録画装置とがそれぞれ異なった放送エリアの番組表を保有しているために、録画装置でユーザ所望の番組とは異なる番組が録画されてしまうおそれがあった。
【０００６】
本発明は、上記課題を鑑みてなされてものであり、携帯端末と録画装置とを別個に備え、携帯端末の指示に基づいて録画装置が録画する録画再生システムであって、携帯端末と録画装置とが各々異なるエリアに移動した場合であっても、携帯端末と録画装置とで使用される番組情報に同一性を保つことにより、簡単かつ確実にユーザ所望の番組を録画することができる録画再生システム、録画装置、携帯端末、及びこれらの録画再生システム、録画装置、携帯端末の録画再生方法を提供することを目的とする。
【課題を解決するための手段】
【０００７】
上記課題を解決するために、本発明に係る録画再生システムは、マルチメディアコンテンツを録画する録画装置、及び前記録画装置で録画されたマルチメディアコンテンツを取得して再生する携帯端末を備えた録画再生システムであって、前記携帯端末は、予約対象のコンテンツの情報を前記録画装置に送信する録画対象コンテンツ送信手段を備え、前記録画装置は、前記マルチメディアコンテンツのリストを取得するリスト取得手段と、前記携帯端末から予約対象のコンテンツの情報を取得する録画対象コンテンツ取得手段と、前記リスト取得手段により取得されたリストに、前記録画対象コンテンツ取得手段により取得されたコンテンツが含まれているか否かを判断する判断手段と、前記判断手段によりコンテンツが含まれていると判断された場合、前記コンテンツ取得手段により取得された予約対象のコンテンツを録画する録画手段とを備えたことを特徴とする。
【０００８】
また、本発明に係る録画装置は、マルチメディアコンテンツのリストを取得するリスト取得手段と、携帯端末から予約対象のコンテンツの情報を取得する録画対象コンテンツ取得手段と、前記リスト取得手段により取得されたリストに、前記録画対象コンテンツ取得手段により取得されたコンテンツが含まれているか否かを判断する判断手段と、前記判断手段によりコンテンツが含まれていると判断された場合、前記コンテンツ取得手段により取得された予約対象のコンテンツを録画する録画手段とを備えたことを特徴とする。
【０００９】
また、本発明に係る携帯端末は、録画装置からマルチメディアコンテンツのリストを受信するリスト受信手段と、前記リスト受信手段により受信されたリストから、予約対象のコンテンツの情報を選択して前記録画装置に送信する録画対象コンテンツ送信手段とを備えたことを特徴とする。
【発明の効果】
【００１０】
本発明に係る録画再生システム、録画装置、携帯端末、及びこれらの録画再生システム、録画装置、携帯端末の録画再生方法によると、携帯端末と録画装置とが各々異なるエリアに移動した場合であっても、携帯端末と録画装置とで使用される番組情報に同一性を保つことにより、簡単かつ確実にユーザ所望の番組を録画することが可能となる。
【図面の簡単な説明】
【００１１】
【図１】本発明に係る録画再生システムを示すシステム構成図。
【図２】（Ａ）は、本発明に係る録画装置及び携帯端末（携帯電話機）が相互に接続されていない状態を示す概略図、（Ｂ）は、本発明に係る録画装置及び携帯端末（携帯電話機）が相互に接続されている状態を示す概略図。
【図３】本発明に係る録画再生システムが有する携帯端末（携帯電話機）の機能を示すブロック図。
【図４】本発明に係る録画再生システムが有する録画装置の機能を示すブロック図。
【図５】（Ａ）乃至（Ｄ）は、本発明に係る録画再生システムにおいて携帯端末（携帯電話機）と録画装置とが録画再生制御処理通信を行う方法を説明するための概略図。
【図６】第１実施形態の録画再生システムにおいて、録画制御処理を行う際の手順を示すフローチャート。
【図７】第１実施形態の録画再生システムにおいて、録画装置が録画予約制御処理を行う際の手順を示すフローチャート。
【図８】第１実施形態の録画再生システムにおいて、録画装置が録画制御処理を行う際の手順を示すフローチャート。
【図９】（Ａ）乃至（Ｅ）は、第２実施形態の録画再生システムにおいて録画再生制御処理を行う方法を説明するための概略図。
【図１０】第２実施形態の録画再生システムにおいて、録画予約制御処理を行う際の手順を示すフローチャート。
【図１１】第２実施形態の携帯端末（携帯電話機）に記憶されたコンテンツ情報を示すデータ構成図。
【図１２】第２実施形態の録画装置に記憶されたコンテンツ情報を示すデータ構成図。
【図１３】第２実施形態の録画再生システムにおいて、録画装置が録画制御処理を行う際の手順を示すフローチャート。
【図１４】第２実施形態の録画再生システムにおいて、録画装置が録画制御処理を行う際の手順を示すフローチャート。
【図１５】第２実施形態の録画再生システムにおいて、録画装置が録画制御処理を行う際の手順を示すフローチャート。
【図１６】第２実施形態の録画再生システムにおいて、携帯端末（携帯電話機）が再生制御処理を行う際の手順を示すフローチャート。
【図１７】（Ａ）乃至（Ｃ）は、第３実施形態の録画再生システムにおいて録画制御処理を行う方法を説明するための概略図。
【図１８】第３実施形態の録画再生システムにおいて、録画予約制御処理を行う際の手順を示すフローチャート。
【発明を実施するための形態】
【００１２】
〔第１実施形態〕
本発明に係る録画再生システム、録画装置、携帯端末、及びこれらの録画再生システム、録画装置、携帯端末の録画再生方法の第１実施形態について、図１乃至図８を参照しながら説明する。第１実施形態の録画再生システム１００が有する携帯端末として、携帯電話機１を例に挙げて説明する。
【００１３】
図１は、第１実施形態の録画再生システム１００を示すシステム構成図である。図１に示すように、録画再生システム１００は、マルチメディアコンテンツを記憶して再生できる携帯電話機１、放送局により放送されているマルチメディアコンテンツを受信して録画できる録画装置２を備えている。
【００１４】
携帯電話機１及び録画装置２は、相互に通信可能な通信機能を備えている。これらの通信機能は、例えば、Ｗ−ＬＡＮ（Ｗｉｒｅｌｅｓｓ  ＬＡＮ）、Ｂｌｕｅｔｏｏｔｈ（登録商標）、赤外線通信など、相互に所定距離内に置かれた状態で通信する通信機能、またはＵＳＢ（Ｕｎｉｖｅｒｓａｌ  Ｓｅｒｉａｌ  Ｂｕｓ）など有線で電気的に接続された状態で通信する通信機能などである。以下、携帯電話機１と録画装置２とは相互にＢｌｕｅｔｏｏｔｈなどの規格に基づいた近距離無線通信が可能なものとして説明する。
【００１５】
図２（Ａ）は、携帯電話機１と録画装置２とが相互に接続されている状態を示す概略図であり、図２（Ｂ）は、携帯電話機１と録画装置２とが相互に接続されていない状態を示す概略図である。図２（Ａ）に示すように、携帯電話機１及び録画装置２が所定距離以上離間されている状態では、携帯電話機１と録画装置２とは接続されていない状態であり、この状態では相互にデータ通信を行うことができない。また、図２（Ｂ）に示すように、携帯電話機１及び録画装置２が近接されている状態では、携帯電話機１と録画装置２とは接続された状態であり、この状態においては相互にセキュアなデータ通信を行うことができる。
【００１６】
または、携帯電話機１と録画装置２とは、電気的に接続されている状態で相互に接続され、電気的に分離されている状態で接続が解除されるようにしても良く、接触された状態で相互に接続され、接触されていない状態で接続が解除されるようにしても良い。以下、携帯電話機１と録画装置２とは、相互に所定距離内にある場合に接続され、データ通信が可能となるものとして説明する。
【００１７】
図３は、携帯電話機１の機能を示すブロック図である。図３に示すように、携帯電話機１は、主制御部１０、電源回路部１１、操作入力制御部１２、表示制御部１３、音声制御部１４、通信制御部１５、近距離無線通信制御部１６、記憶部１７、及びＧＰＳ受信部１８がバスによって相互に通信可能に接続されて構成されている。
【００１８】
主制御部１０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する再生制御処理、その他の様々な演算処理や制御処理等を行う。電源回路部１１はバッテリ等の電源供給源を具備し、例えばユーザによる操作キー１２ａを介した入力に基づいて電源のオン／オフ状態を切り替え、電源がオン状態の場合に電力供給源から各部に対して電力を供給して、携帯電話機１を動作可能にする。
【００１９】
操作入力制御部１２は、ユーザに押下されることによりデータを入力する操作キー１２ａを備えていて、操作キー１２ａの押下を検出すると、その押下されたキーを示す信号を生成して主制御部１０に伝送する。信号を受信した主制御部１０は、この信号に基づいた処理を行う。表示制御部１３は、ディスプレイ１３ａを備えていて、主制御部１０の制御に基づいて、文字データや画像データなどを含んだ表示データをディスプレイ１３ａに表示させる。
【００２０】
音声制御部１４は、音声を入力するマイクロフォン１４ａ、音声を出力するスピーカ１４ｂを備えていて、主制御部１０の制御に基づいて、マイクロフォン１４ａで入力された音声からアナログ音声信号を生成し、このアナログ音声信号をデジタル音声信号に変換する。また音声制御部１４は、デジタル音声信号を取得すると、主制御部１０の制御に基づいて、このデジタル音声信号をアナログ音声信号に変換し、スピーカ１４ｂから音声として出力する。
【００２１】
通信制御部１５は、主制御部１０の制御に基づいて、基地局からアンテナ１５ａを介して受信した受信信号をスペクトラム逆拡散処理してデータを復元する。このデータは、主制御部２０の指示により、音声制御部１４に伝送されてスピーカ１４ｂから出力されたり、表示制御部１３に伝送されてディスプレイ１３ａに表示されたり、または記憶部１７に記録されたりする。また通信制御部１５は、主制御部１０の制御に基づいて、マイクロフォン１４ａで入力された音声データや、操作キー１２ａを介して入力されたデータや記憶部１７に記憶されたデータを取得すると、これらのデータに対してスペクトラム拡散処理を行い、基地局に対してアンテナ１５ａを介して送信する。
【００２２】
近距離無線通信制御部１６は、例えばＢｌｕｅｔｏｏｔｈなどの近距離無線通信の通信インタフェースを備えていて、所定距離内にある他の通信機器（例えば録画装置２）からアンテナ１６ａを介して無線信号を受信して電気信号を生成した際に、この電気信号から、例えばＢｌｕｅｔｏｏｔｈの規格に基づいて電気信号を変換して主制御部１０に伝送する。また、近距離無線通信制御部１６は、主制御部２０の制御に基づいて、例えばＢｌｕｅｔｏｏｔｈの規格に基づいた電気信号を生成し、この電気信号に基づいて無線信号を生成させて、所定距離内にある他の通信機器（例えば録画装置２）に対してアンテナ１６ａを介して送信する。
【００２３】
記憶部１７は、主制御部１０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部１０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部１０が後述する録画制御処理や再生制御処理などを行う際の処理プログラムは、例えばＲＯＭに記憶されているものとする。
【００２４】
ＧＰＳ受信部１８は、地球上の位置情報を測位するＧＰＳ（Ｇｌｏｂａｌ  Ｐｏｓｉｔｉｏｎｉｎｇ  Ｓｙｓｔｅｍ）システムのＧＰＳ衛星から放送されている電波を受信するためのアンテナ１８ａを備えている。ＧＰＵ受信部１８は、このアンテナ１８ａを介して受信した電波に基づいて、携帯電話機１の位置情報を示すＧＰＳ情報を生成して、主制御部１０に伝送する。なお、ＧＰＳ情報の取得方法は携帯電話機１がＧＰＳ情報を生成する方法に限らず、ＧＰＳサーバが携帯電話機１の位置を検知してＧＰＳ情報を生成し、このＧＰＳ情報を携帯電話機１に送信する方法でも良い。
【００２５】
図４は、録画装置２の機能を示すブロック図である。図４に示すように、録画装置２は、主制御部２０、電源回路部２１、テレビ受信部２２、近距離無線通信制御部２３、記憶部２４、及び外部接続部２５がバスによって相互に通信可能に接続されて構成されている。
【００２６】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する録画制御処理、その他の様々な演算処理や制御処理等を行う。電源回路部２１はＡＣ電源などの電源供給源に接続され、例えばユーザによる指示に基づいて、電源のオン／オフ状態を切り替え、電源がオン状態の場合に電力供給源から録画装置２の各部に対して電力を供給して、録画装置２を動作可能にする。
【００２７】
テレビ受信部２２は、チューナ、復調部、ＴＳデコーダを備えている。チューナは、地上波デジタルテレビ放送の放送局（図示せず）から放送された地上波デジタルテレビ放送（地上波デジタルワンセグ放送も含む）の番組を録画する際、地上波デジタルテレビ放送の変調波をアンテナ２２ａを介して受信する。復調部は、チューナが受信した変調波を取得して復調し、地上波デジタルテレビ放送の符号化映像情報を生成し、これらの符号化映像情報を記憶部２４に伝送する。これらの処理により、地上波デジタルテレビ放送などのテレビ番組が録画される。ＴＳデコーダは、録画されたテレビ番組を再生するときに、復調部により生成された符号化映像情報を取得して復号する。
【００２８】
近距離無線通信制御部２３は、例えばＢｌｕｅｔｏｏｔｈ（登録商標）などの近距離無線通信の通信インタフェースを備えていて、所定距離内にある他の通信機器（例えば携帯電話機１）からアンテナ２３ａを介して無線信号を受信して電気信号を生成した際に、この電気信号から、例えばＢｌｕｅｔｏｏｔｈの規格に基づいて電気信号を変換して主制御部２０に伝送する。また、近距離無線通信制御部２３は、主制御部２０の制御に基づいて、例えばＢｌｕｅｔｏｏｔｈの規格に基づいた電気信号を生成し、この電気信号に基づいて無線信号を生成させて、所定距離内にある他の通信機器（例えば携帯電話機１）に対してアンテナ２３ａを介して送信する。
【００２９】
記憶部２４は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。テレビ受信部２２により受信されたテレビ番組のコンテンツは、例えばハードディスクに記憶される。また、主制御部１０が後述する録画制御処理などを行う際の処理プログラムは、例えばＲＯＭに記憶されているものとする。
【００３０】
外部接続部２５は、ＷＡＮなどの外部ネットワークに対する接続インタフェースを備えている。録画装置２は、主制御部２０の制御に基づいて、他の通信装置に対して外部ネットワークを介した通信を行うことができる。
【００３１】
なお、録画装置２の主制御部２０は、記憶部２４に記憶されたコンテンツを携帯電話機１に送信する際に、必要に応じて、コンテンツを携帯電話機１において再生可能な企画やサイズに変換する。
【００３２】
本発明に係る携帯端末（携帯電話機１）は、上述した構成に限定されず、少なくとも、録画装置２に対して録画対象の番組情報を送信する機能、録画装置２によって録画されたコンテンツを受信して再生する機能を備えていれば良い。また、本発明に係る録画装置２は、例えばテレビ録画再生機器やＰＣ（Ｐｅｒｓｏｎａｌ  Ｃｏｍｐｕｔｅｒ）などであり、上述した構成に限定されず、少なくとも、予約対象の番組情報を受信する機能、受信した番組情報に基づいてテレビ放送波を受信してコンテンツを蓄積する機能、蓄積されたコンテンツを携帯電話機１において再生可能な規格やサイズに再変換する機能、再変換されたコンテンツの複製を携帯電話機１に送信する機能を備えていれば良い。
【００３３】
図５（Ａ）乃至図５（Ｄ）は、携帯電話機１及び録画装置２による録画再生制御処理を説明するための大まかな概略図である。図５（Ａ）に示すように、始めに、（１）ユーザが携帯電話機１において独自に取得した番組表（例えばワンセグ番組表）から録画対象のコンテンツを選択する。その後に、図５（Ｂ）に示すように、携帯電話機１が録画装置２に接続されると、（２）携帯電話機１から録画装置２に予約対象の番組情報が送信される。（３）予約対象の番組情報を取得した録画装置２は、独自にエリア情報や番組表（例えばフルセグ番組表）を取得して、番組表を携帯電話機１に送信する。また録画装置２はその番組が録画可能か否かをチェックし、録画可能でなかった場合に携帯電話機１に録画対象の番組の再設定を促す。（４）録画対象の番組の再設定を促された携帯電話機１は、録画装置２から受信した番組表に基づいて録画対象の番組を選択し、その番組情報を録画装置２に送信する。
【００３４】
携帯電話機１から番組情報を受信した録画装置２は、図５（Ｃ）に示すように、携帯電話機１と録画装置２との接続が解除された後に、（５）携帯電話機１から受信した番組情報に基づい  て録画する。このとき録画装置２は、録画時刻に携帯電話機１が接続されていた場合は、携帯電話着１が接続された状態で録画を行っても良い。その後、図５（Ｄ）に示すように、再び携帯電話機１が録画装置２に接続されると、（６）録画装置２は録画されたコンテンツを携帯電話機１に送信する。
【００３５】
このようにして録画再生システム１００において、携帯電話機１にて入力された予約情報に基づいて、録画装置２にて録画予約設定を行う際に、携帯電話機１が保有している番組表と、録画装置２の番組表との同一性を保つことで、ユーザ所望の番組を確実に録画することができる。
【００３６】
録画再生システム１００において、携帯電話機１及び録画装置２がこの録画予約制御処理を行う際の手順を、図６に示すフローチャートに基づいて説明する。以下、例えば「ステップＳ１０１」を「Ｓ１０１」のように、「ステップ」の語句を省略して説明する。
【００３７】
携帯電話機１の主制御部１０は、ユーザにより予約録画が指示されたか否かを判断する（Ｓ１０１）。この際、主制御部１０は、例えばユーザにより所定の操作キー１２ａが操作されたことに基づいて、予約録画が指示されたものと判断する。予約録画が指示されていない場合（Ｓ１０１のＮｏ）は、主制御部１０はそのまま待機する。
【００３８】
予約録画が指示された場合（Ｓ１０１のＹｅｓ）は、主制御部１０は、携帯電話機１の位置情報を取得する（Ｓ１０３）。この位置情報は、携帯電話機１が無線接続されている基地局を示す情報であっても、ＧＰＳにより測位された携帯電話機１の緯度や経度を示す情報であっても良い。
【００３９】
主制御部１０は、地域情報を取得する（Ｓ１０５）。この地域情報は、テレビ放送局により区分された地域情報であり、記憶部１７に予め記憶されている情報であっても、テレビ放送局から放送されている文字情報から取得した情報であっても、記憶部１７に記憶された対応表を用いて、ステップＳ１０３にて取得した位置情報に基づいて取得された情報であっても良い。
【００４０】
主制御部１０は、携帯電話機１と録画装置２とが通信可能か否かを判断する（Ｓ１０７）。例えば携帯電話機１と録画装置２とが相互に通信可能領域内にあった場合に、通信可能であるものと判断される。携帯電話機１と録画装置２とが通信可能でなかった場合（Ｓ１０７のＮｏ）は、主制御部１０は通信可能になるまで待機したり、あるいは、携帯電話機１においてメッセージを出力してユーザに対して携帯電話機１と録画装置２とを接続されるように促したりする。
【００４１】
主制御部１０は、録画対象の番組情報を取得する（Ｓ１０６）。このとき、例えば携帯電話機１が独自に取得した番組表（例えばワンセグ番組表）をディスプレイ１３ａに表示してユーザに対して提示し、ユーザに操作キー１２ａを用いて番組を選択させることにより、その選択された番組の番組情報を取得すると良い。
【００４２】
携帯電話機１と録画装置２とが通信可能であった場合（Ｓ１０７のＹｅｓ）は、主制御部１０は、ステップＳ１０５にて取得した地域情報、及びステップＳ１０６にて取得した番組情報を録画装置２に送信する（Ｓ１０９）。録画装置２の主制御部２０は、携帯電話機１と接続されている際、ステップＳ１０９にて携帯電話機１から送信された地域情報や番組情報を受信する。
【００４３】
録画装置２の主制御部２０は、地域情報を取得する（Ｓ１１１）。この地域情報は、例えばテレビ放送局から放送されている文字情報に含まれている地域情報である。また主制御部２０は、ステップＳ１１１にて取得した地域情報に基づいてフルセグ番組表を取得する（Ｓ１１３）。フルセグ番組表は、例えばテレビ放送局が放送している文字情報に含まれている情報であり、放送されている地域毎にそれぞれ用意された情報である。録画装置２の主制御部２０は、携帯電話機１に対してステップＳ１１３にて取得したフルセグ番組表を送信する（Ｓ１１５）。
【００４４】
録画装置２の主制御部２０は、ステップＳ１１３にて取得したフルセグ番組表に、携帯電話機１から受信した番組情報が含まれているか否かを判断する（Ｓ１１７）。そして番組情報が含まれていなかった場合（Ｓ１１７のＮｏ）は、主制御部２０は携帯電話機１に対してエラー情報を送信する（Ｓ１１９）。エラー情報を受信した携帯電話機１は、再度ステップＳ１０３乃至Ｓ１０９の処理を行うか、あるいは、ステップＳ１０６に戻って、ステップＳ１１５にて送信されたフルセグ番組表をユーザに対して提示してユーザに録画対象の番組情報の選択を促したうえで、ステップＳ１０７、Ｓ１０９の処理を行う。
【００４５】
フルセグ番組表に録画対象の番組情報が含まれていた場合（Ｓ１１７のＹｅｓ）は、録画装置２の主制御部２０は、携帯電話機１から受信した番組情報とフルセグ番組表に含まれていた番組情報との間で、開始時刻やチャンネルなどが異なっているか否かを判断する（Ｓ１２３）。これは、例えば携帯電話機１の地域情報と録画装置２の地域情報とが異なっていて、同一の番組が異なった時間帯や異なったチャンネルで放送される場合などを想定したものである。
【００４６】
開始時刻などが異なっていた場合（Ｓ１２３のＹｅｓ）は、主制御部２０は、携帯電話機１から受信した番組情報を、フルセグ番組表に含まれている番組情報に変更して、これを録画対象の番組とする（Ｓ１２５）。そして主制御部２０は、その録画対象の番組情報に基づいて録画予約を登録する（Ｓ１２７）。一方で、携帯電話機１の主制御部１０は、録画対象の番組情報を記憶部１７に記憶するなどして、録画対象の番組情報に基づいて録画予約を登録する（Ｓ１２９）。
【００４７】
このようにして携帯電話機１は、独自に取得した番組表（ワンセグ番組表）から選択された録画対象の番組の番組情報を録画装置２に送信し、録画装置２は、独自に取得した番組表（フルセグ番組表）に録画対象の番組が含まれているか否かを判断し、含まれていた場合にはこの番組を録画対象の番組とし、含まれていなかった場合には、携帯電話機１にフルセグ番組表から録画対象の番組を選択させる。これにより、携帯電話機１と録画装置２において、録画対象の番組情報の同一性が保たれる。
【００４８】
また、携帯電話機１が保有する番組表における番組情報と、録画装置２が保有する番組表における番組表とにおいて、録画対象の番組の開始時刻やチャンネルが一致していた場合には、録画装置２はそのままの番組情報に基づいて録画し、録画対象の番組の開始時刻やチャンネルが異なっていた場合に、録画装置２は、録画装置２が保有している番組表に合わせて録画対象の番組情報を変更した上で録画する。これにより、録画装置２は、録画対象の番組を確実に録画することができる。
【００４９】
次に、録画装置２は、ステップＳ１２７にて録画予約された番組情報に基づいて録画制御処理を行う。録画装置２がこの録画制御処理を行う際の手順を、図７に示すフローチャートに基づいて説明する。なお、録画装置２は携帯電話機１と通信可能であっても通信可能でなくても同様に録画制御処理を行う。
【００５０】
まず録画装置２の主制御部２０は、ステップＳ１２７にて録画予約された番組の録画開始時刻になったか否かを判断する（Ｓ２０１）。録画開始時刻になっていない場合（Ｓ２０１のＮｏ）は、主制御部２０は録画開始時刻になるまで待機する。
【００５１】
録画開始時刻になった場合（Ｓ２０１のＹｅｓ）は、主制御部２０は、録画装置２が移動されることなどによりテレビ放送の放送エリアが変更される可能性を考慮して、このときに受信している番組情報から録画対象の番組が見つかったか否かを判断する（Ｓ２０３）。録画対象の番組が見つかった場合（Ｓ２０３のＹｅｓ）は、主制御部２０はこの番組の録画を開始する（Ｓ２０５）。
【００５２】
そして主制御部２０は、ステップＳ１２５にて録画予約された番組の録画終了時刻になったか否かを判断する（Ｓ２０７）。録画終了時刻になっていない場合（Ｓ２０７のＮｏ）は、主制御部２０は録画終了時刻になるまで録画を継続する。録画終了時刻になった場合（Ｓ２０７のＹｅｓ）は、主制御部２０は、この番組の録画を終了する（Ｓ２０９）。
【００５３】
このようにして録画装置２は、録画対象の番組を受信しているかどうかを確認して、受信している場合にのみ、この番組を録画する。これにより、録画装置２が移動されることなどにより、録画対象の番組とは異なった番組が録画されてしまうことが防止される。
【００５４】
次に、録画装置２は、再び携帯電話機１との通信を開始した際に、ステップＳ２０１乃至Ｓ２０９にて録画されたコンテンツを携帯電話機１に送信する録画制御処理を行う。録画装置２がこの録画制御処理を行う際の手順を、図８に示すフローチャートに基づいて説明する。
【００５５】
まず録画装置２の主制御部２０は、携帯電話機１が接続されたか否かを判断する（Ｓ３０１）。このとき主制御部２０は、例えば、携帯電話機１と録画装置２とが相互に通信可能領域にあるときに、接続されたものと判断する。携帯電話機１が接続されていない場合（Ｓ３０１のＮｏ）は、主制御部２０はそのまま待機する。
【００５６】
携帯電話機１が接続された場合（Ｓ３０１のＹｅｓ）は、主制御部２０は、録画されたコンテンツがあるかを否かを判断する（Ｓ３０３）。このとき主制御部２０は、例えば記憶部２４にコンテンツが記憶されていた場合に、録画された番組情報があるものと判断する。
【００５７】
録画されたコンテンツがある場合（Ｓ３０３のＹｅｓ）は、主制御部２０は、この録画されたコンテンツを携帯電話機１に送信する。コンテンツを受信した携帯電話機１は、このコンテンツを記憶部１７に記憶しておき、ユーザによる操作キー１２ａを介した所定の操作に基づいて、この録画されたコンテンツを再生する。
【００５８】
このようにして録画装置２は、携帯電話機１が接続されたことに基づいて、録画されたコンテンツを携帯電話機１に送信する。これにより、ユーザは携帯電話機１を録画装置２に接続させることにより、録画装置２で録画されたコンテンツを携帯電話機１で簡単に視聴することができる。
【００５９】
第１実施形態によると、携帯端末（携帯電話機１）と録画装置２とを別個に備え、携帯電話機１の指示に基づいて録画装置２が録画する録画再生システム１００であって、携帯電話機１と録画装置２とが各々異なるエリアに移動した場合であっても、携帯電話機１と録画装置２とで使用される番組情報に同一性を保つことにより、簡単かつ確実にユーザ所望の番組を録画することが可能となる。
【００６０】
〔第２実施形態〕
本発明に係る携帯端末の第２実施形態について、添付図面の図９乃至図１６を参照しながら説明する。以下、第１実施形態と同一の構成には同一の符号を付し、重複する説明を省略する。第２実施形態の録画再生システム１００は、図１に示すように、第１実施形態と同様に、マルチメディアコンテンツを記憶して再生できる携帯電話機１、放送局により放送されているマルチメディアコンテンツを受信して録画できる録画装置２を備えている。
【００６１】
また、第２実施形態の携帯電話機１は、第１実施形態と同様に、図３に示すように、主制御部１０、電源回路部１１、操作入力制御部１２、表示制御部１３、音声制御部１４、通信制御部１５、近距離無線通信制御部１６、記憶部１７、及びＧＰＳ受信部１８がバスによって相互に通信可能に接続されて構成されている。さらに、第２実施形態の録画装置２は、第１実施形態と同様に、図４に示すように、主制御部２０、電源回路部２１、テレビ受信部２２、近距離無線通信制御部２３、記憶部２４、外部接続部２５がバスによって相互に通信可能に接続されて構成されている。
【００６２】
ユーザが携帯電話機１を保持しているときに、既に録画されたコンテンツを視聴したい場合に、携帯電話機１にそのコンテンツが記憶されていればそのコンテンツを視聴することができる。しかしながら、ユーザが録画装置２を保持している場合には、同様のコンテンツを録画装置２を用いて高精細・高画質で視聴できることが望ましい。このとき、録画装置２において、録画されたコンテンツにおけるユーザが携帯電話機１で視聴した位置（時間）から再生を開始するためには、その位置まで早送りさせるためのユーザ操作が必要であった。また、ユーザが録画装置２に外部機器Ｇを接続してコンテンツを途中まで視聴した場合に、このコンテンツの続きを携帯電話機１で視聴したい場合にも同様に、携帯電話機１において未再生の部分まで早送りするユーザ操作が必要であった。
【００６３】
そこで録画再生システム１００において、携帯電話機１及び録画装置２は、再生を中断した位置（時間）を示す情報（視聴中止時間）をコンテンツと併せて記憶していて、相互にコンテンツを転送した場合であっても、この情報を送信し合うことにより、ユーザによる複雑な操作無しで未再生の部分から再生を開始することができる機能を備えている。
【００６４】
図９（Ａ）乃至（Ｅ）は、第２実施形態の録画再生システム１００における録画再生制御処理を説明するための概略図である。図９（Ａ）に示すように、始めに、（１）ユーザが携帯電話機１と録画装置２とを接続させて優先度を設定（入力）しつつ録画対象の番組を選択して録画予約を行う。その後、図９（Ｂ）に示すように、携帯電話機１が録画装置２に接続されると、（２）録画装置２は携帯電話機１から録画対象の番組情報と優先度情報を受信する。そして、図９（Ｃ）に示すように、録画装置２はこの録画対象の番組情報に基づいて録画を行い、録画されたコンテンツを優先度と併せて記憶部２４に記憶する。
【００６５】
図９（Ｄ）に示すように、（４）ユーザが録画装置２にて録画されたコンテンツを外部機器Ｇにて視聴する場合には、外部機器Ｇにて視聴が中断（あるいは終了）された時間である視聴中止時間が録画装置２に記憶される。そして、図９（Ｅ）に示すように、再び携帯電話機１が録画装置２に接続されると、（５）録画装置２は携帯電話機１にコンテンツと併せて視聴中止時間を送信する。これにより、携帯電話機１は、ユーザにより録画されたコンテンツの視聴の指示があった場合に、録画されたコンテンツをこの視聴中止時間に基づいて未再生の部分から再生することができる。
【００６６】
図９（Ａ）乃至図９（Ｅ）では、録画されたコンテンツが外部機器Ｇにて途中まで再生され、携帯電話機１にてその続きが再生される例を示しているが、最初に携帯電話機１にて途中まで再生され、外部機器Ｇにてその続きが再生される場合でも同様である。または、携帯電話機１や外部機器Ｇにて複数回に分けて再生される場合であっても同様である。
【００６７】
録画再生システム１００において、携帯電話機１及び録画装置２がこの録画予約制御処理を行う際の手順を、図１０に示すフローチャートに基づいて説明する。
【００６８】
携帯電話機１の主制御部１０は、ユーザにより予約録画が指示されたか否かを判断する（Ｓ４０１）。この際、主制御部１０は、例えばユーザにより所定の操作キー１２ａが操作されたことに基づいて、予約録画が指示されたものと判断する。予約録画が指示されていない場合（Ｓ４０１のＮｏ）は、主制御部１０はそのまま待機する。
【００６９】
予約録画が指示された場合（Ｓ４０１のＹｅｓ）は、主制御部１０は、優先度が入力されたか否かを判断する（Ｓ４０３）。優先度は、操作キー１２ａにより例えば「Ａ」乃至「Ｃ」（Ａが最も高くＣが最も低い）のいずれかの番号が選択されることにより、入力される。優先度が入力されていない場合（Ｓ４０３のＮｏ）は、主制御部１０は優先度が入力されるまで待機する。または、優先度が入力されなかった場合には「Ｃ」が入力されたことにしても良い。
【００７０】
優先度が入力された場合（Ｓ４０３のＹｅｓ）は、主制御部１０は、携帯電話機１の位置情報を取得する（Ｓ４０５）。この位置情報は、携帯電話機１が無線接続されている基地局を示す情報であっても、ＧＰＳにより測位された携帯電話機１の緯度や経度を示す情報であっても良い。
【００７１】
主制御部１０は、地域情報を取得する（Ｓ４０７）。この地域情報は、テレビ放送局により区分された地域情報であり、記憶部１７に予め記憶されていても、記憶部１７に記憶された対応表を用いて、ステップＳ４０５にて取得した位置情報に基づいて取得されても良い。
【００７２】
主制御部１０は、録画対象の番組情報を取得する（Ｓ４０８）。このとき、例えば携帯電話機１が独自に取得した番組表（例えばワンセグ番組表）をディスプレイ１３ａに表示してユーザに対して提示し、ユーザに操作キー１２ａを用いて番組を選択させることにより、その選択された番組の番組情報を取得すると良い。
【００７３】
主制御部１０は、携帯電話機１と録画装置２とが通信可能か否かを判断する（Ｓ４０９）。例えば携帯電話機１と録画装置２とが相互に通信可能領域内にあった場合に、通信可能であるものと判断される。携帯電話機１と録画装置２とが通信可能でなかった場合（Ｓ４０９のＮｏ）は、主制御部１０は通信可能になるまで待機したり、あるいは、携帯電話機１においてメッセージを出力してユーザに対して携帯電話機１と録画装置２とを接続されるように促したりする。
【００７４】
携帯電話機１と録画装置２とが通信可能であった場合（Ｓ４０９のＹｅｓ）は、主制御部１０は、ステップＳ４０７にて取得した地域情報、ステップＳ４０８にて取得した番組情報、及びステップＳ４０３にて入力された優先度情報を録画装置２に送信する（Ｓ４１１）。録画装置２の主制御部２０は、携帯電話機１と接続されている際、ステップＳ４１１にて携帯電話機１から送信された地域情報、番組情報、優先度情報を受信する。
【００７５】
録画装置２の主制御部２０は、地域情報を取得する（Ｓ４１３）。この地域情報は、例えばテレビ放送局から放送されている文字情報に含まれている地域情報である。また主制御部２０は、フルセグ番組表を取得する（Ｓ４１５）。フルセグ番組表は、例えばテレビ放送局が放送している文字情報に含まれている情報であり、放送されている地域毎に異なっている。録画装置２の主制御部２０は、携帯電話機１に対してステップＳ４１５にて取得したフルセグ番組表を送信する（Ｓ４１７）。
【００７６】
録画装置２の主制御部２０は、ステップＳ４１５にて取得したフルセグ番組表に、携帯電話機１から受信した番組情報が含まれているか否かを判断する（Ｓ４１９）。そして番組情報が含まれていなかった場合（Ｓ４１９のＮｏ）は、主制御部２０は携帯電話機１に対してエラー情報を送信する（Ｓ４２１）。エラー情報を受信した携帯電話機１は、再度ステップＳ４０５乃至Ｓ４１１の処理を行うか、あるいはエラー情報をユーザに対して提示してユーザに録画対象の番組情報の再入力を促す。
【００７７】
フルセグ番組表に録画対象の番組情報が含まれていた場合（Ｓ４１９のＹｅｓ）は、録画装置２の主制御部２０は、その録画対象の番組情報に基づいて録画予約を登録する（Ｓ４２７）。
【００７８】
一方で、携帯電話機１の主制御部１０は、録画対象の番組情報を記憶部１７に記憶するなどして、録画対象の番組情報に基づいて録画予約を登録する（Ｓ４２９）。この際、主制御部１０は、この番組の予約情報を録画装置２に送信すると良い。
【００７９】
このようにして携帯電話機１は、独自に取得した番組表（ワンセグ番組表）から選択された録画対象の番組の番組情報、ユーザにより入力された優先度を録画装置２に送信し、録画装置２は、独自に取得した番組表（フルセグ番組表）に録画対象の番組が含まれているか否かを判断し、含まれていた場合にはこの番組を録画対象の番組とし、含まれていなかった場合には、携帯電話機１にフルセグ番組表から録画対象の番組を選択させる。また携帯電話機１は、ユーザにより入力された優先度情報を、録画されたコンテンツに併せて記憶する。
【００８０】
次に、録画装置２は、ステップＳ４２７にて録画予約された番組情報に基づいて録画制御処理を行う。録画装置２がこの録画制御処理を行う際の手順を、図１１に示すフローチャートに基づいて説明する。なお、録画装置２は携帯電話機１と通信可能であっても通信可能でなくても同様に録画制御処理を行う。
【００８１】
まず録画装置２の主制御部２０は、ステップＳ４２７にて録画予約された番組の録画開始時刻になったか否かを判断する（Ｓ５０１）。録画開始時刻になっていない場合（Ｓ５０１のＮｏ）は、主制御部２０は録画開始時刻になるまで待機する。
【００８２】
録画開始時刻になった場合（Ｓ５０１のＹｅｓ）は、主制御部２０は、このときに受信している番組情報から録画対象の番組が見つかったか否かを判断する（Ｓ５０３）。録画対象の番組が見つかった場合（Ｓ５０３のＹｅｓ）は、主制御部２０はこの番組の録画を開始する（Ｓ５０５）。
【００８３】
そして主制御部２０は、ステップＳ１２５にて録画予約された番組の録画終了時刻になったか否かを判断する（Ｓ５０７）。録画終了時刻になっていない場合（Ｓ５０７のＮｏ）は、主制御部２０は録画終了時刻になるまで録画を継続する。録画終了時刻になった場合（Ｓ５０７のＹｅｓ）は、主制御部２０は、この番組の録画を終了する（Ｓ５０９）。
【００８４】
主制御部２０は、録画装置２により録画されて記憶部２４に記憶されているコンテンツを示すコンテンツ情報３１において、更新日、コンテンツ時間の情報を更新する（Ｓ５１１）。
【００８５】
図１２は、コンテンツ情報３１を示すデータ構成図である。図１２に示すように、コンテンツ情報３１は、例えば、コンテンツのタイトルを示すコンテンツ名情報３１ａ、コンテンツの最新の更新日を示す更新日情報３１ｂ、コンテンツの再生時間を示すコンテンツ時間情報３１ｃ、外部機器Ｇにて視聴が中断された時間を示す外部機器視聴中止時間情報３１ｄ、携帯電話機１にて視聴が中断された時間を示す携帯端末視聴中止時間情報３１ｅ、携帯端末（携帯電話機１など）に転送済みか否かを示す転送済み情報３１ｆ、及びユーザにより設定された優先度を示す優先度情報３１ｇがそれぞれ関連付けられた情報である。なお、外部機器視聴中止時間情報３１ｄ、携帯端末視聴中止時間情報３１ｅは、コンテンツの再生開示時間（例えば０ｍｉｎ）から中断時間までの時間で記されている。転送済み情報３１ｆは、例えば転送済みである場合には「済」、転送済みでない場合には「未」で記されている。優先度情報３１ｇは、例えば「Ａ」乃至「Ｃ」の記号で記されている。
【００８６】
コンテンツ情報３１は、例えばステップＳ４３１にて録画予約が登録される際に生成されて、記憶部２４に記憶されたものである。そして、ステップＳ５１１にて、コンテンツ情報３１のうちの更新日情報３１ｂ、コンテンツ時間情報３１ｃのみが書き換えられる。
【００８７】
このようにして録画装置２は、録画対象の番組を受信しているかどうかを確認して、受信している場合にのみ、この番組を録画し、コンテンツ情報３１を更新する。これにより、録画装置２が移動されることなどにより、録画対象の番組とは異なった番組が録画されてしまうことが防止される。
【００８８】
次に、録画装置２は、ステップＳ５０１乃至Ｓ５１１にて録画されたコンテンツ情報を、録画装置２に接続された外部機器Ｇにて再生する再生制御処理を行う。録画装置２がこの再生制御処理を行う際の手順を、図１３に示すフローチャートに基づいて説明する。
【００８９】
まず録画装置２の主制御部２０は、外部機器Ｇにて視聴が指示されたか否かを判断する（Ｓ６０１）。この際、例えば外部機器Ｇがボタンなどの入力手段を備えていて、ユーザにより入力手段を介した入力がされた場合に、この入力情報を外部機器Ｇから受信して、視聴が指示されたものと判断される。外部機器Ｇにて視聴が指示されていない場合（Ｓ６０１のＮｏ）は、主制御部２０はそのまま待機する。
【００９０】
外部機器Ｇにて視聴が指示された場合（Ｓ６０１のＹｅｓ）は、主制御部２０は優先度が最も高いコンテンツを取得する（Ｓ６０３）。このとき、主制御部２０は、例えば、録画装置２に記憶されているコンテンツ情報３１の優先度情報３１ｇに基づいて、最も優先度の高いコンテンツ（例えば優先度「Ａ」のコンテンツ）を取得する。
【００９１】
主制御部２０は、録画装置２の視聴中止時間よりも携帯電話機１の視聴中止時間の方が長いか否かを判断する（Ｓ６０５）。このとき、主制御部２０は、コンテンツ情報３１の外部機器Ｇにて視聴が中断された時間を示す外部機器視聴中止時間情報３１ｄと、携帯電話機１にて視聴が中断された時間を示す携帯端末視聴中止時間情報３１ｅとを比較することにより判断する。
【００９２】
携帯電話機１の視聴中止時間の方が長い場合（Ｓ６０５のＹｅｓ）は、主制御部２０は、外部機器Ｇでよりも携帯電話機１での方が長く視聴しているため、視聴開始時間を携帯電話機１の視聴中止時間に設定する（Ｓ６０７）。外部機器Ｇの視聴中止時間の方が長い場合（Ｓ６０５のＮｏ）は、主制御部２０は、携帯電話機１でよりも外部機器Ｇでの方が長く視聴しているため、視聴開始時間を外部機器Ｇでの視聴中止時間に設定する（Ｓ６０９）。そして主制御部２０は、外部機器Ｇに対してコンテンツ情報を出力して、外部機器Ｇにおいてコンテンツを再生させる（Ｓ６１１）。
【００９３】
主制御部２０は、外部機器Ｇにより視聴が中止されたか否かを判断する（Ｓ６１３）。この際、例えば外部機器Ｇがボタンなどの入力手段を備えていて、ユーザにより入力手段を介した入力がされた場合にこの入力情報を外部機器Ｇから受信して、あるいはコンテンツの再生が終了した場合に終了情報を外部機器Ｇから受信して、視聴が中止されたものと判断される。外部機器Ｇにて視聴が中止されていない場合（Ｓ６１３のＮｏ）は、主制御部２０はそのままコンテンツ再生を継続する。外部機器Ｇにより視聴が中止された場合（Ｓ６１３のＹｅｓ）は、主制御部２０は、コンテンツ情報３１において、外部機器視聴中止時間情報３１ｄを更新する（Ｓ６１５）。
【００９４】
このようにして録画装置２は、録画したコンテンツが外部機器Ｇにて再生された場合、再生が中断されたタイミングで視聴中止時間をコンテンツに併せて記憶しておき、再びこのコンテンツを再生するときに、この視聴中止時間に基づいてコンテンツを早送りして、未再生の部分から再生を開始する。なお、このコンテンツが携帯電話機１で途中まで再生された場合には、録画装置２は、携帯電話機１から視聴中止時間を取得して、携帯電話機１の視聴中止時間と外部機器Ｇでの視聴中止時間のうちの、長く再生された方の視聴中止時間に基づいてコンテンツを早送りする。
【００９５】
また、録画装置２は、録画されたコンテンツを再生する際に、ユーザにより入力された優先度に基づいて、優先度が高いコンテンツから順次再生する。
【００９６】
次に、録画装置２は、携帯電話機１と通信を開始した際に、ステップＳ５０１乃至Ｓ５１１にて録画されたコンテンツ（あるいはステップＳ６０１乃至Ｓ６１５にて外部機器Ｇにて再生されたコンテンツ）を携帯電話機１に送信する録画制御処理を行う。録画装置２がこの録画再生処理を行う際の手順を、図１４に示すフローチャートに基づいて説明する。
【００９７】
まず録画装置２の主制御部２０は、携帯電話機１が接続されたか否かを判断する（Ｓ７０１）。このとき主制御部２０は、例えば、携帯電話機１と録画装置２とが相互に通信可能領域にあるときに、接続されたものと判断する。携帯電話機１が接続されていない場合（Ｓ７０１のＮｏ）は、主制御部２０はそのまま待機する。
【００９８】
携帯電話機１が接続された場合（Ｓ７０１のＹｅｓ）は、主制御部２０は、携帯電話機１に対して送信していないコンテンツがあるかを否かを判断する（Ｓ７０３）。このとき主制御部２０は、例えばコンテンツ情報３１の転送済み情報３１ｆに基づいて、転送済み情報３１ｆが「未」のコンテンツがあった場合に、未送信のコンテンツがあるものと判断する。
【００９９】
未送信のコンテンツがある場合（Ｓ７０３のＹｅｓ）は、主制御部２０は、この未送信のコンテンツのうち、もっとも優先度が高いコンテンツを取得する（Ｓ７０５）。このとき主制御部２０は、例えばコンテンツ情報３１の優先度情報３０ｇに基づいて最も優先度が高いコンテンツを判別する。
【０１００】
主制御部２０は、ステップＳ７０５にて取得したコンテンツのコンテンツ情報を携帯電話機１に送信する（Ｓ７０７）。また主制御部２０は、ステップＳ７０５にて取得したコンテンツを携帯電話機１に送信する（Ｓ７０９）。コンテンツ情報及びコンテンツを受信した携帯電話機１は、それらを関連付けて記憶部１７に記憶して、例えばユーザによる操作キー１２ａを介した所定の操作に基づいてこのコンテンツを再生する。
【０１０１】
携帯電話機１は、ステップＳ７０７にて送信された情報を受信すると、コンテンツ情報３２を生成して記憶部１７に記憶させる。図１５は、携帯電話機１に記憶されるコンテンツ情報３２を示すデータ構成図である。図１５に示すように、コンテンツ情報３２は、録画装置２に記憶されているコンテンツ情報３１に類似した情報であり、例えば、コンテンツのタイトルを示すコンテンツ名情報３２ａ、コンテンツの最新の更新日を示す更新日情報３２ｂ、コンテンツの再生時間を示すコンテンツ時間情報３２ｃ、携帯電話機１にて視聴が中断された時間を示す携帯端末視聴中止時間情報３２ｄ、外部機器Ｇにて視聴が中断された時間を示す外部機器視聴中止時間情報３２ｅ、及びユーザにより設定された優先度を示す優先度情報３２ｆがそれぞれ関連付けられた情報である。
【０１０２】
主制御部２０は、まだ携帯電話機１に対して送信していないコンテンツがあるかを否かを判断する（Ｓ７１１）。未送信のコンテンツがあった場合（Ｓ７１１のＹｅｓ）は、主制御部２０は、再度ステップＳ７０５乃至Ｓ７１１の処理を行う。未送信のコンテンツがない場合（Ｓ７１１のＮｏ）は、主制御部２０はこの録画制御処理を終了する。
【０１０３】
このようにして録画装置２は、携帯電話機１が接続されたことに基づいて、録画されたコンテンツ及びそのコンテンツのコンテンツ情報を優先度の高い順に携帯電話機１に送信する。これにより、ユーザは携帯電話機１を録画装置２に接続させることにより、録画装置２で録画されたコンテンツを優先順位の高い順に携帯電話機１で簡単に視聴することができる。なお、このコンテンツが外部機器Ｇにて途中まで再生された場合には、携帯電話機１はそのコンテンツをその続きから再生することができる。
【０１０４】
次に、携帯電話機１は、録画装置２と通信を開始した際に、ステップＳ７０１乃至Ｓ７１１にて録画装置２から送信されたコンテンツを再生する再生制御処理を行う。携帯電話機１がこの再生制御処理を行う際の手順を、図１６に示すフローチャートに基づいて説明する。
【０１０５】
まず携帯電話機１の主制御部１０は、コンテンツの再生が指示されたか否かを判断する（Ｓ８０１）。このとき主制御部１０は、例えば、所定の操作キー１２ａの操作に基づいてコンテンツの再生が指示されたものと判断する。コンテンツの再生が指示されていない場合（Ｓ８０１のＮｏ）は、主制御部１０はそのまま待機する。
【０１０６】
コンテンツの再生が指示された場合（Ｓ８０１のＹｅｓ）は、主制御部１０は、録画装置２の視聴中止時間よりも携帯電話機１の視聴中止時間の方が長いか否かを判断する（Ｓ８０３）。このとき、主制御部１０は、コンテンツ情報３２の携帯電話機１にて視聴が中断された時間を示す携帯端末視聴中止時間情報３２ｄと、外部機器Ｇにて視聴が中断された時間を示す外部機器視聴中止時間情報３２ｅとを比較することにより判断する。
【０１０７】
携帯電話機１の視聴中止時間の方が長い場合（Ｓ８０３のＹｅｓ）は、主制御部１０は、外部機器Ｇでよりも携帯電話機１での方が長く視聴しているため、視聴開始時間を携帯電話機１の視聴中止時間に設定する（Ｓ８０５）。外部機器Ｇの視聴中止時間の方が長い場合（Ｓ８０３のＮｏ）は、主制御部１０は、携帯電話機１でよりも外部機器Ｇでの方が長く視聴しているため、視聴開始時間を外部機器Ｇでの視聴中止時間に設定する（Ｓ８０７）。そして主制御部１０はコンテンツを再生する（Ｓ８０９）。
【０１０８】
主制御部１０は、視聴が中止されたか否かを判断する（Ｓ８１１）。この際、主制御部１０は、例えば所定の操作キー１２ａを介した操作に基づいて視聴が中止されたものと判断する。視聴が中止されていない場合（Ｓ８１１のＮｏ）は、主制御部１０はそのままコンテンツ再生を継続する。
【０１０９】
外部機器Ｇにより視聴が中止された場合（Ｓ８１１のＹｅｓ）は、主制御部２０は、コンテンツ情報３２において、携帯端末視聴中止時間情報３２ｄを更新する（Ｓ８１３）。この更新されたコンテンツ情報３２は、次回に携帯電話機１と録画装置２とが接続されたときに、携帯電話機１から録画装置２に送信される。録画装置２は、受信したコンテンツ情報３２に基づいて、独自に記憶しているコンテンツ情報３１を更新する。
【０１１０】
このようにして携帯電話機１は、録画されたコンテンツを再生する場合、再生が中断されるタイミングで視聴中止時間をコンテンツに併せて記憶しておき、再びこのコンテンツを再生するときに、この視聴中止時間に基づいてコンテンツを早送りして、未再生の部分から再生を開始する。なお、このコンテンツが録画装置２（外部機器Ｇ）で途中まで再生された場合には、携帯電話機１は、録画装置２から視聴中止時間を取得して、携帯電話機１の視聴中止時間と録画装置２（外部機器Ｇ）での視聴中止時間のうちの、長く再生された方の視聴中止時間に基づいてコンテンツを早送りする。
【０１１１】
第２実施形態によると、携帯端末（携帯電話機１）と録画装置２とを別個に備え、携帯電話機１の指示に基づいて録画装置２が録画する録画再生システム１００であって、携帯電話機１と録画装置２とが各々異なるエリアに移動した場合であっても、携帯電話機１と録画装置２とで使用される番組情報に同一性を保つことにより、簡単かつ確実にユーザ所望の番組の録画処理を行うことが可能となる。
【０１１２】
また、第２実施形態によると、録音再生システム１００において、ユーザが携帯電話機１で途中まで再生したコンテンツを録画装置２で継続視聴しようとしたときに、録画装置２において、携帯電話機１で再生していない部分まで早送りなどをするための操作を省略できるため、ユーザにより簡便に利用される。
【０１１３】
さらに、第２実施形態によると、録音再生システム１００において、ユーザが録画装置２で途中まで再生したコンテンツを携帯電話機１で継続視聴しようとしたときに、携帯電話機１において、録画装置２で再生していない部分まで早送りなどをするための操作を省略できるため、ユーザにより簡便に利用される。
【０１１４】
〔第３実施形態〕
本発明に係る録画再生システムの第３実施形態について、添付図面の図１７及び図１８を参照しながら説明する。以下、第１実施形態または第２実施形態と同一の構成には同一の符号を付し、重複する説明を省略する。第３実施形態の録画再生システム１００は、図１に示すように、第１実施形態及び第２実施形態と同様に、マルチメディアコンテンツを記憶して再生できる携帯電話機１、放送局により放送されているマルチメディアコンテンツを受信して録画できる録画装置２を備えている。
【０１１５】
また、第３実施形態の携帯電話機１は、第１実施形態及び第２実施形態と同様に、図３に示すように、主制御部１０、電源回路部１１、操作入力制御部１２、表示制御部１３、音声制御部１４、通信制御部１５、近距離無線通信制御部１６、記憶部１７、及びＧＰＳ受信部１８がバスによって相互に通信可能に接続されて構成されている。さらに、第３実施形態の録画装置２は、第１実施形態及び第２実施形態と同様に、図４に示すように、主制御部２０、電源回路部２１、テレビ受信部２２、近距離無線通信制御部２３、記憶部２４、外部接続部２５がバスによって相互に通信可能に接続されて構成されている。
【０１１６】
第１実施形態及び第２実施形態の録画再生システム１００は、携帯電話機１と録画装置２とを接続させた状態で、携帯電話機１の制御により録画装置２において録画予約を行うものであったが、第３実施形態の録画再生システム１００は、他の携帯端末１Ａを備えていて、その他の携帯端末１Ａの制御により携帯電話機１を遠隔操作することで携帯端末１Ａの制御により録画装置２において録画予約を行うものである。
【０１１７】
図１７（Ａ）乃至図１７（Ｃ）は、第３実施形態の録画再生システム１００における録画再生制御処理を説明するための概略図である。図１７（Ａ）及び図１７（Ｃ）に示すように、第３実施形態の録画再生システム１００は、携帯電話機１とは異なる携帯端末１Ａを備えていて、携帯電話機１と携帯端末１Ａとで無線通信することにより、携帯端末１Ａから録画装置２に録画予約を指示することができるものである。この録画再生システム１００において、図１７（Ａ）に示すように、第１実施形態と同様に、（１）携帯電話機１が録画装置２からフルセグ番組表を受信すると、（２）携帯電話機１はこのフルセグ番組表を携帯端末１Ａに転送する。ユーザは、携帯端末１Ａにてフルセグ番組表に基づいて録画対象の番組を選択する。ユーザにより録画対象の番組が選択されると、（３）携帯端末１Ａは、ユーザの指示に基づいて番組情報を携帯電話機１に送信する。（４）携帯電話機１は、携帯端末１Ａから予約情報を受信すると、この予約情報を録画装置２に転送する。これらにより、携帯端末１Ａから録画装置２に録画予約を指示することができる。
【０１１８】
図１７（Ｂ）に示すように、（５）録画予約が指示された録画装置２は、携帯電話機１から受信した番組情報に基づいて録画を行う。その後、図１７（Ｃ）に示すように、（６）携帯電話機１は、録画装置２に接続された状態で、携帯端末１Ａからの指示に基づいて録画装置２から録画されたコンテンツを受信して携帯端末１Ａに送信する。そして携帯端末１Ａは、ユーザの指示に基づいて、受信したコンテンツを再生する。
【０１１９】
録画再生システム１００において、第３実施形態の携帯電話機１及び録画装置２がこの録画予約制御処理を行う際の手順を、図１８に示すフローチャートに基づいて説明する。なお、携帯電話機１と録画装置２とが接続された状態で、ユーザが携帯端末１Ａを保持しているものとする。
【０１２０】
ユーザは携帯端末１Ａにおいて所定の操作を行うことにより、予約録画の指示を携帯電話機１に対して送信する。そこで携帯電話機１の主制御部１０は、予約録画が指示を受信したか否かを判断する（Ｓ９０１）。予約録画の指示を受信していない場合（Ｓ９０１のＮｏ）は、主制御部１０はそのまま待機する。
【０１２１】
予約録画の指示を受信した場合（Ｓ９０１のＹｅｓ）は、主制御部１０は、携帯電話機１の位置情報を取得する（Ｓ９０３）。この位置情報は、携帯電話機１が無線接続されている基地局を示す情報であっても、ＧＰＳにより測位された携帯電話機１の緯度や経度を示す情報であっても良い。
【０１２２】
主制御部１０は、携帯電話機１の地域情報を取得する（Ｓ９０５）。この地域情報は、テレビ放送局により区分された地域情報であり、記憶部１７に予め記憶されていても、記憶部１７に記憶された対応表を用いて、ステップＳ１０３にて取得した位置情報に基づいて取得されても良い。
【０１２３】
主制御部１０は、ステップＳ９０５にて取得した地域情報を録画装置２に送信する（Ｓ９０７）。録画装置２の主制御部２０は、ステップＳ９０７にて携帯電話機１から送信された地域情報を受信する。
【０１２４】
録画装置２の主制御部２０は、録画装置２の地域情報を取得する（Ｓ９０９）。この地域情報は、例えばテレビ放送局から放送されている文字情報に含まれている地域情報である。また主制御部２０は、フルセグ番組表を取得する（Ｓ９１１）。フルセグ番組表は、例えばテレビ放送局が放送している文字情報に含まれている情報であり、放送されている地域毎に異なっている。録画装置２の主制御部２０は、携帯電話機１に対してステップＳ９１１にて取得したフルセグ番組表を送信する（Ｓ９１３）。
【０１２５】
携帯電話機１の主制御部１０は、録画装置２からフルセグ番組表を受信すると、このフルセグ番組表を携帯端末１Ａに送信する（Ｓ９１５）。携帯電話機１Ａは、フルセグ番組表を受信すると、例えば表示装置にこのフルセグ番組表を表示させて、ユーザに録画対象の番組を選択するように促す。そして、ユーザにより録画対象の番組が選択されると、携帯端末１Ａは携帯電話機１に対して録画対象の番組を示す番組情報を送信してくる。
【０１２６】
そこで携帯電話機１の主制御部１０は、携帯端末１Ａから録画対象の番組を示す番組情報を受信したか否かを判断する（Ｓ９１７）。番組情報を受信していない場合（Ｓ９１７のＮｏ）は、主制御部１０は受信するまで待機する。番組情報を受信した場合（Ｓ９１７のＹｅｓ）は、主制御部１０は、受信した番組情報を録画装置２に送信する（Ｓ９１９）。
【０１２７】
録画装置２の主制御部２０は、ステップＳ９１１にて取得したフルセグ番組表に、携帯電話機１から受信した番組情報が含まれているか否かを判断する（Ｓ９２１）。そして番組情報が含まれていなかった場合（Ｓ９２１のＮｏ）は、主制御部２０は携帯電話機１に対してエラー情報を送信する（Ｓ９２３）。エラー情報を受信した携帯電話機１は、再度ステップＳ９０３乃至Ｓ９０７の処理を行うか、あるいはエラー情報を携帯端末１Ａに対して送信してユーザに録画対象の番組情報の再入力を促す。
【０１２８】
フルセグ番組表に録画対象の番組情報が含まれていた場合（Ｓ９２１のＹｅｓ）は、主制御部２０は、録画対象の番組情報を記憶部２４に記憶するなどして、録画対象の録画予約を登録する（Ｓ９２５）。一方で、携帯電話機１の主制御部１０は、録画対象の番組情報を記憶部１７に記憶するなどして、録画対象の録画予約を登録するとともに、録画予約の情報を携帯端末１Ａに送信する（Ｓ９２７）。
【０１２９】
このようにして録画装置２は、携帯端末１Ａの指示に基づいて、独自に取得した番組表（フルセグ番組表）を携帯電話機１を介して携帯端末１Ａに送信して、携帯端末１Ａは、受信したフルセグ番組表に基づいて録画対象の番組を選択して番組情報を携帯電話機１を介して録画装置２に送信する。さらに録画装置２は、この番組を録画対象の番組とする。これにより、携帯端末１Ａと録画装置２において、録画対象の番組情報の同一性が保たれる。
【０１３０】
第３実施形態によると、携帯端末（携帯電話機１）と録画装置２とを別個に備え、携帯電話機１と録画装置２とが接続された状態で、ユーザが他の携帯端末１Ａを保持しているときに、携帯端末１Ａの指示に基づいて携帯電話機１を介して録画装置２が録画する録画再生システム１００であって、携帯端末１Ａと録画装置２とが各々異なるエリアに移動した場合であっても、携帯端末１Ａと録画装置２とで使用される番組情報に同一性を保つことにより、簡単かつ確実にユーザ所望の番組の録画処理を行うことが可能となる。
【０１３１】
なお、録画装置２は携帯電話機１を充電する電力供給機能を備えていて、携帯電話機１を充電する際に、充電と同時に、第１実施形態乃至第３実施形態にて示した処理を行っても良い。また、録画装置２は、表示機能や音声出力機能を含めたマルチメディアコンテンツを再生する機能を備えていても良い。
【符号の説明】
【０１３２】
１００…録画再生システム，１…携帯電話機，１Ａ…携帯端末，２…録画装置，１０…主制御部，１１…電源回路部，１２…操作入力制御部，１２ａ…操作キー，１３…表示制御部，１３ａ…ディスプレイ，１４…音声制御部、１４ａ…マイクロフォン，１４ｂ…スピーカ，１５…通信制御部，１５ａ…アンテナ，１６…近距離無線通信制御部，１６ａ…アンテナ，１７…記憶部，１８…ＧＰＳ受信部，１８ａ…アンテナ，２０…主制御部，２１…電源回路部，２２…テレビ受信部，２２ａ…アンテナ，２３…近距離無線通信制御部，２３ａ…操作入力制御部，２４…記憶部，２５…外部接続部，３１…携帯端末（携帯電話機）のコンテンツ情報，３２…録画装置のコンテンツ情報，Ｇ…外部機器。
【図１】
2011139117.tif 000003
【図２】
2011139117.tif 000004
【図３】
2011139117.tif 000005
【図４】
2011139117.tif 000006
【図５】
2011139117.tif 000007
【図６】
2011139117.tif 000008
【図７】
2011139117.tif 000009
【図８】
2011139117.tif 000010
【図９】
2011139117.tif 000011
【図１０】
2011139117.tif 000012
【図１１】
2011139117.tif 000013
【図１２】
2011139117.tif 000014
【図１３】
2011139117.tif 000015
【図１４】
2011139117.tif 000016
【図１５】
2011139117.tif 000017
【図１６】
2011139117.tif 000018
【図１７】
2011139117.tif 000019
【図１８】
2011139117.tif 000020